(57)【特許請求の範囲】
【請求項１】
給水口と、隔膜を介して陽極室と陰極室を形成し、各々陽極と陰極を配設するとともに陽極水出口と陰極水出口を有する電解槽と、前記電解槽内の水を給液手段によって食塩タンクに導入する導水路と、前記食塩タンクの希釈食塩溶液を前記陽極室に供給する給塩路と、前記陽極水出口と陰極水出口の下流に設けられ陽極水と陰極水の選択吐出もしくは混合吐出可能な流路切換弁と、前記電解槽の電解水を吐出手段によって吐出口から吐出する吐出路と、制御手段とから構成したバッチ式電解水生成装置。
【請求項２】
陽極水と陰極水の混合吐出に際して、電解水のpH値が所定値となるように陰極水の流量を制限する絞り部材を設けた請求項１記載のバッチ式電解水生成装置。
【請求項３】
混合吐出される電解水のpH値が４から７の範囲となるように陰極水流量を制限した請求項２記載のバッチ式電解水生成装置。
【請求項４】
給塩路に電解槽の水の侵入を阻止する方向に逆止弁を設けた請求項１ないし３のいずれか１項に記載のバッチ式電解水生成装置。
【請求項５】
陽極室側の水を食塩タンクに供給する構成とした請求項１ないし４のいずれか１項に記載のバッチ式電解水生成装置。
【請求項６】
電解水の吐出口に対向する位置に電解水容器を設け、所定時間電解終了直後に吐出手段を駆動して電解水を電解水容器に貯水する構成とした請求項１ないし５のいずれか１項に記載のバッチ式電解水生成装置。
【請求項７】
電解動作開始直後に所定時間逆極性通電し、その後通常極性で所定時間電解する請求項１ないし６のいずれか１項に記載のバッチ式電解水生成装置。
【請求項８】
給液手段をパルスポンプから構成するとともに前記パルスポンプのパルス駆動回数をカウントするパルスカウンタを設け、このパルスカウンタが所定回数に達した時点で食塩補給要求信号を報知する構成とした請求項１ないし７のいずれか１項に記載のバッチ式電解水生成装置。
【請求項９】
給水口にイオン交換樹脂からなるフィルタ部材を設けた請求項１ないし８のいずれか１項に記載のバッチ式電解水生成装置。
【発明の詳細な説明】
【０００１】
【発明の属する技術分野】
本発明は、被電解水を滞留状態で電気分解して電解水を生成するバッチ式の電解水生成装置に関し、特に還元力の強いアルカリ水と殺菌水を容易に生成できる電解水生成装置に関するものである。
【０００２】
【従来の技術】
電解水生成装置には、水道等の給水設備に接続され、流水状態で電解を行い、酸性水やアルカリ水を生成する流水式と、給水設備に接続しない簡易、低コスト構造で水を滞留状態で電解するバッチ方式がある。流水方式では即座に電解水が取水できるメリットがあるが、酸化力の強い酸性水（以下強酸性水とする）や還元力の強いアルカリ水（以下強アルカリ水とする）を得ようとした場合、電極の大型化が必要となり大電力が必要となるとともに複雑な構成が必要となり、装置全体のコストアップとなる。一方、バッチ方式では原水を滞留状態で電解するため長時間にわたる電解が可能であり、簡易な構成で上記強酸性水や強アルカリ水が得られやすい。
【０００３】
従来のバッチ方式の電解装置としては、特開平８−２９９９５８号公報に記載されているようなものがあった。この電解装置は図６に示すように、隔膜１によって陽極室２と陰極室３を形成するとともに陽極室２には陽極４を、また陰極室３には陰極５が隔膜１を介して対向配置されている。６は開閉自在な蓋であり、電解時の生成ガスを外部に排出する穴７が設けられている。８は制御回路であり、陽極４と陰極５に通電される。生成された電解水はそれぞれ酸性水出口９およびアルカリ水出口１０より取水される構成となっている。
【０００４】
この構成において、電解に際しては蓋６を開放して手作業によって所定濃度に調整した電解質としての食塩水を電解槽に充填し、制御回路８によって陽極４と陰極５間に電圧が印可され、電気量（電流と時間の積）に応じて所望のpHとなるように水が電気分解されて陽極室２には強酸性水が、陰極室３には強アルカリ水が生成され、それぞれ酸性水出口９およびアルカリ水出口１０より取水される。
なお陽極側に生成される塩素ガスおよび酸素ガス、陰極側に生成される水素ガスは穴７から電解槽外に排出される。
【０００５】
【発明が解決しようとする課題】
しかしながら上記従来のバッチ式電解装置では、以下に述べるような課題があった。
【０００６】
（１）電解前に手作業によって所定濃度の食塩水を作成するため、別途撹拌容器や食塩の計量手段が必要であり、面倒であるとともに食塩濃度が変動し、所望のpH値の電解生成水が安定して得られない。
【０００７】
（２）電解によって同時に生成される強アルカリ水と強酸性水のうち、殺菌水としては強酸性水が用いられるが、強酸性水は塩素ガスを多く含有する。この塩素ガスは人体に有害であるとともに異臭があり、また金属などを腐食する腐食性ガスであり、殺菌水としての利用に際して取り扱いが課題となる。
【０００８】
（３）電解後、放置すると隔膜を介して酸性水およびアルカリ水が浸透混入し、pH値が劣化する。
【０００９】
（４）水道水などの原水には各種イオンが含まれており、特に多く含まれるカルシウムやマグネシウムイオンなどの陽イオンは陰極側の水酸基と反応して水酸化カルシウムや水酸化マグネシウムとなり、溶解限界を越えると陰極、隔膜の表面に析出し、電解電流の妨害因子となり、長期間使用すると所望のpH値が得られなくなる。
【００１０】
【課題を解決するための手段】
本発明は上記課題を解決するために、給水口と、隔膜を介して陽極室と陰極室を形成し、陽極水出口と陰極水出口を有する電解槽と、前記電解槽内の水を給液手段によって食塩タンクに導入する導水路と、前記食塩タンクの希釈食塩溶液を前記陽極室に供給する給塩路と、、前記電解槽の下流に設けられ陽極水と陰極水の選択吐出もしくは混合吐出可能な流路切換弁と、前記電解槽の電解水を吐出手段によって吐出口から吐出する吐出路と、制御手段とから構成したものである。
【００１１】
上記発明によれば、電解槽から給液手段によって給水することにより食塩タンクの希釈食塩水が陽極室に導入されるので、電解槽に水道水などの原水を入れるのみで電解可能となる。また吐出手段を有するので、スイッチ操作などにより自動的に電解水を取水できる。さらに流路切換弁を設けて陽極水と陰極水の選択吐出もしくは混合中和吐出可能としたので、還元力の強い強アルカリ水と殺菌力にすぐれた弱酸性殺菌水（食塩電解水）が任意に得られる。この殺菌水生成時に陽極水と陰極水が混合して所定のpH値に中和されるので塩素ガスの含有量を低減でき、殺菌水としての利用に際しての課題が解決される。
【００１２】
【発明の実施の形態】
本発明の請求項１にかかるバッチ式電解水生成装置は、給水口と、隔膜を介して陽極室と陰極室を形成し、各々陽極と陰極を配設するとともに陽極水出口と陰極水出口を有する電解槽と、前記電解槽内の水を給液手段によって食塩タンクに導入する導水路と、前記食塩タンクの希釈食塩溶液を前記陽極室に供給する給塩路と、前記陽極水出口と陰極水出口の下流に設けられ陽極水と陰極水の選択吐出もしくは混合吐出可能な流路切換弁と、前記電解槽の電解水を吐出手段によって吐出口から吐出する吐出路と、制御手段とから構成したものである。
【００１３】
そして、電解槽から給液手段によって給水することにより食塩タンクの希釈食塩水が陽極室に導入されるので、手作業によって食塩水などを作製する必要がなく、食塩濃度も安定するので所望のpH値の電解生成水が安定して精度良く得られる。
【００１４】
また、陽極室のみに電解質溶液が供給されるので短時間に還元力の強いアルカリ水が得られる。すなわち、陽／陰極間に電圧が印可されると被電解水に含まれるイオンは電気吸引力により電極と逆極性のイオンが隔膜を通過して移動することとなる。したがって陽極室に導入された食塩のＮａイオンは隔膜を経て陰極室へと即座に移動する。この電気吸引力以外にも例えば拡散理論にしたがえば、Ｎａイオンが拡散によってイオン濃度を均一にするように作用する。この結果、陽／陰極間に流れる電流が増加し、短時間に還元力の強いアルカリ水が得られる。この強アルカリ水は油脂の鹸化や乳化作用および蛋白質に対する加水分解作用を有し、家具や住宅建材表面などの洗浄水として利用できる。なお、陰極室は原水なので陽極室へのイオンの移動量は極めて少ない。
【００１５】
さらに、流路切換弁を設けて陽極水と陰極水の選択吐出もしくは混合中和吐出可能としたので、還元力の強い強アルカリ水と殺菌力にすぐれた弱酸性殺菌水（食塩電解水）が任意に得られる。この殺菌水生成時に陽極水と陰極水が混合して所定のpH値に中和されるので塩素ガスの含有量を低減でき、殺菌水としての利用に際しての課題が解消される。
【００１６】
また請求項２にかかるバッチ式電解水生成装置は、陽極水と陰極水の混合吐出に際して、電解水のpH値が所定値となるように陰極水の流量を制限する絞り部材を設けたものである。
【００１７】
そして、殺菌水の取水に際して陽極水出口の下流に設けた絞り部材によって陽極水と陰極水が所定の比率で混合し、所定のpH値となるように中和される。この結果、吐出口から得られる電解水を所望のpH値にすることができ、pH値が中性側に移行するので塩素ガスＣｌ2↑の含有量を低減して人体への影響および異臭を防止でき、殺菌水としての利用に際して取り扱いが容易となる。
【００１８】
また請求項３にかかるバッチ式電解水生成装置は、上記混合吐出される電解水のpH値が４から７の範囲となるように陰極水流量を制限したものである。
【００１９】
そして、殺菌作用を有する次亜塩素酸ＨＣｌＯの存在比はpH依存性を有し、強酸性側となるほど塩素ガスＣｌ2↑の存在比が大きくなり、次亜塩素酸の存在比が小さくなる。例えばpH２以下となると塩素ガスの存在比は約３０％を越えるようになる。pH４以上となると塩素ガスの存在比は数％となり、塩素ガス臭は殆ど気にならないレベルとなる。一方、中性であるpH７を越えると次亜塩素酸イオンＣｌＯ-の存在比が急激に増加して殺菌力が低下する。したがってpH４〜７の範囲とすることで塩素ガスの悪影響を未然に防止しつつ次亜塩素酸ＨＣｌＯの含有率の高い、つまり殺菌力にすぐれた殺菌水が得られる。
【００２０】
また請求項４にかかるバッチ式電解水生成装置は、給塩路に電解槽の水の侵入を阻止する方向に逆止弁を設けたものである。
【００２１】
そして、逆止弁を設けることで電解槽への給水時に食塩タンク側への原水の逆流が防止され、食塩溶液の原水逆流による希釈が防止される。この結果、常に所望の濃度の食塩濃度が精度良く食塩供給口から電解槽へ供給されることとなり、安定したpH値が得られる。
【００２２】
また請求項５にかかるバッチ式電解水生成装置は、陽極室側の水を食塩タンクに供給する構成としたものである。
【００２３】
そして、陽極室側の水を食塩タンクに供給することで電極や電解槽内に生成されるスケール片による給液手段の目詰まりを防止できる。すなわち電解を行うことで原水に含まれるカルシウムやマグネシウムイオンが水酸基と反応して水酸化カルシウムや水酸化マグネシウムなどのスケールとなって陰極や陰極室壁面に付着し、電解槽に原水を入れる際の剥離作用によって微少なスケール片となって原水に混入される場合がある。したがって陰極室側の水を食塩タンクに供給する構成とした場合、微少流量を制御する給液手段に堆積して目詰まりが発生し、電解質溶液が供給されなくなる場合がある。陽極室側の水を食塩タンクに供給することで上記不具合が防止され、長寿命化が図れる。
【００２４】
また請求項６にかかるバッチ式電解水生成装置は、電解水の吐出口に対向する位置に電解水容器を設け、所定時間電解終了直後に吐出手段を駆動して陰極水を電解水容器に貯水するとともに陽極室に環流する構成としたものである。
【００２５】
そして、電解後直ちにアルカリ水を取水することにより隔膜を介しての酸性水およびアルカリ水の浸透混入が防止される。この結果pH値の劣化が防止されることとなる。また陰極水を陽極室に環流することで自動的に陽極水の中和がなされる。
【００２６】
また請求項７にかかるバッチ式電解水生成装置は、電解動作開始直後に所定時間逆極性通電し、その後通常極性で所定時間電解する構成としたものである。
【００２７】
そして、電解の都度、電解動作開始直後に逆極性通電することで原水に含まれるカルシウムやマグネシウムイオンが水酸基と反応して水酸化カルシウムや水酸化マグネシウムなどの陰極に析出するスケール被膜が酸化還元されて洗浄される。特に１回電解当たりに生成されるスケールは微量であり、電解毎に逆電洗浄することで大幅な電極の長寿命化が実現できる。
【００２８】
また請求項８にかかるバッチ式電解水生成装置は、給液手段をパルスポンプから構成するとともに前記パルスポンプのパルス駆動回数をカウントするパルスカウンタを設け、このパルスカウンタが所定回数に達した時点で電解質補給要求信号を報知する構成としたものである。
【００２９】
そして、給液手段の駆動パルスをカウントすることで食塩の消費量が擬似的に検出されるので、食塩の補給を報知することが可能となるとともに食塩レス電解を防止できる。また電気信号を検出するパルスカウンタは安価に構成できるので食塩消費量検出を低コストで実現できる。
【００３０】
また請求項９にかかるバッチ式電解水生成装置は、給水口にイオン交換樹脂からなるフィルタ部材を設けたものである。
【００３１】
そして、水道水の硬度（導電率）には大きなばらつきがあり、例えば硬水では水酸化カルシウムなどのスケール成分を多く含み、陰極へのスケール析出にばらつきが発生するとともに、所定時間電解した場合、硬度によってpH値にばらつきが生じるが、給水時にイオン交換樹脂を通過することで、例えば軟水化が図られ、硬度差によるpH値のばらつきが解消されるとともに、陰極へのスケール析出を低減できる。
【００３２】
【実施例】
以下、本発明の実施例について図面を用いて説明する。
【００３３】
（実施例１）
図１は本発明の実施例１における水浄化装置の構成図を示す。同図において、１１は電解槽であり、隔膜１２によって陽極室１３と陰極室１４が形成されており、各々陽極１５および陰極１６が隔膜１２を介して対向配置されている。なお隔膜としてはイオン交換能を有さない中性隔膜と、イオン交換能を有するイオン交換膜のいずれも用いることができるが、ここでは陽イオン交換膜としている。電解槽の下方には陽極水出口１７と陰極水出口１８が設けられており、上方には給水口１９を有する着脱自在の蓋２０が設けられている。蓋２０には原水に含まれる異物を濾過するフィルタ部材２１が設けられており、ここでは原水のスケール成分となる陽イオンを除去して軟水化するイオン交換樹脂が設けられている。また電解時に陽極室から生成される塩素ガスや酸素ガス、陰極室から生成される水素ガスを外部に排気する通孔２２が設けられている。
【００３４】
２３は着脱自在のキャップ２４および電解質床２５を有する食塩タンクであり、ここでは電解質として食塩（塩化ナトリウム）が充填されている。食塩タンク２３には陽極室１３の上部に設けられた給水口２６からパルスポンより構成される給液手段２７によって電解槽１１に入れられた原水が導入路２８を経て食塩タンク２３の上方に送られる。
【００３５】
導入された水は食塩と混合して過飽和食塩水となり、電解質床２５および給塩路２９を通じて食塩供給口３０から食塩溶液が陽極室１３に供給される構成となっている。
【００３６】
ここで、給塩路２９の食塩供給口３０近傍には陽極室１３の原水の侵入を阻止する方向に逆止弁３１が設けられており、また食塩供給口３０は食塩タンク２３の液面よりもｈだけ上方位置に設けられている。
【００３７】
陽極水出口１７および陰極水出口１８の下流には陽極水と陰極水の選択吐出もしくは混合吐出可能な流路切換弁３２が設けられており、陽極水出口１７側には陽極水の流量を所定量に制限する絞り部材３３が設けられている。また流路切換弁３２の下流にはギヤードポンプなどの比較的大流量を制御する吐出手段３４が設けられており、駆動されることで吐出路３５を通じて電解水が吐出口３６から電解水容器３７に取水される。
【００３８】
３８は後述する操作パネル３９と制御回路４０から成る制御手段であり、電解水容器３７の存在を検知する容器検知手段４１の信号が制御回路４０に入力され、容器検知手段４１によって容器が吐出口３６の対向位置に存在する時のみ電解動作を行うように構成されている。また４２はパルスポンプからなる給液手段２７の駆動パルスをカウントするパルスカウンタであり、累積パルス数をカウントすることで食塩の消費量が擬似的に検出され、所定パルス数に達した時点で食塩補給の報知を行うように構成されている。
【００３９】
操作パネル３９は図２に示すように電源スイッチ４３と洗浄水スイッチ４４および殺菌水スイッチ４５を有するとともに容器検知手段４１によって電解水容器が存在することを報知する容器セット報知手段４６とパルスカウンタ４２の累積パルスが所定値に達した時点で食塩補給を報知する食塩補給報知手段４７を有しており、洗浄水スイッチ４４もしくは殺菌水スイッチ４５を投入することで制御回路４０が動作して給液手段２７、陽／陰極１５、１６、流路切換弁３２および吐出手段３４が駆動されるように構成されている。
【００４０】
上記構成において次に動作、作用について説明する。
【００４１】
電解前に給水口１９から電解槽１１の所定水位まで原水を入れる。この際、原水は陽イオン交換樹脂からなるフィルタ部材２１を通過することとなり、原水に含まれる比較的大きな異物が濾過されるとともに、カルシウム、マグネシウムイオンなどの陽イオンが除去されて軟水化される。バッチ方式では水道に直結せず、食塩水生成時点で異物が混入する可能性があり、電解によってその異物が隔膜に付着して隔膜を劣化させる場合があるが、フィルタ部材２１で濾過することにより異物混入が防止されて隔膜の長寿命化が図れる。
【００４２】
また、水道水の硬度（導電率）には大きなばらつきがあり、例えば硬水では水酸化カルシウムなどのスケール成分を多く含み、陰極へのスケール析出にばらつきが発生するとともに、所定時間電解した場合、硬度によってpH値にばらつきが生じるが、給水時に陽イオン交換樹脂を通過することで、軟水化されるので硬度差によるpH値のばらつきが解消されるとともに、陰極１６へのスケール析出を低減できる。
【００４３】
次に、図２に示した操作パネル３９の電源スイッチ４３を投入し、洗浄水スイッチ４４を投入することで電解動作が開始される。なお、この時電解水容器３７が所定位置にセットされていれば操作パネル３９の容器セット報知手段４６が点灯し、電解動作が開始される。電解水容器３７が吐出口３６に対向する位置に載置されていない場合は容器検知手段４１によって検出され、電解動作に移行しない。これにより誤って容器外に電解水を吐出することがなくなる。
【００４４】
洗浄水生成時の電解動作について図３に示したタイムチャートに基づいて説明する。洗浄水スイッチ４４を投入すると、まず給液手段２７が所定時間ｔｐだけ駆動され、陽極室１３の原水が導入路２８を経て食塩タンク２３に送られる。食塩タンク２３は水密状態に構成されており、原水が導入されることにより過飽和状態の食塩水が電解質床２５、給塩路２９、逆止弁３１を経て食塩供給口３０から陽極室１３内に所定量供給され、所定濃度の食塩希釈水となる。次いで制御回路４０が動作して陽極１５と陰極１６間に逆極性、つまり陽極１５側を−極、陰極１６側を＋極として電流が所定時間ｔｒ印可される。これにより前回の電解によって陰極１６の表面に析出したスケール成分が酸化還元されて洗浄される。すなわち、原水には各種のイオンが含まれており、特にカルシウムイオンやマグネシウムイオンなどの陽イオンは陰極室１４側の水酸基と反応して水酸化カルシウムや水酸化マグネシウムとなり、溶解限界を越えると陰極１６や隔膜１２の表面に析出し、電解電流の妨害因子となるが、電解前に逆電洗浄を所定時間ｔｒ行うことで良好に洗浄されてスケール成分が分解され、電極の長寿命化が実現できる。
【００４５】
その後通常極性ので所定時間ｔｅだけ電気分解される。電解時の陽極室１３では化式１に示した反応が生じて酸性水が生成される。
【００４６】
（化式１）
２Ｃｌ-→Ｃｌ2↑＋２ｅ-
Ｃｌ2＋Ｈ2Ｏ→ＨＣｌ＋ＨＣｌＯ
２Ｈ2Ｏ→Ｏ2↑＋４Ｈ+＋４ｅ-
一方、陰極室１４では化式２に示した反応が生じて水酸基ＯＨ-を中和するためＮａ+が隔膜１２を通過して移動し、アルカリ水が生成される。
【００４７】
（化式２）
２Ｈ2Ｏ＋２ｅ-→Ｈ2↑＋２ＯＨ-
Ｎａ+＋ｅ-→Ｎａ
２Ｎａ＋２Ｈ2Ｏ→２ＮａＯＨ＋Ｈ2↑
ここで、陽極室１３のみに食塩溶液が供給されるので短時間に還元力の強いアルカリ水が得られる。すなわち、陽極１５と陰極１６間に電圧が印可されると被電解水に含まれるイオンは電気吸引力により陽／陰極１５、１６と逆極性のイオンが隔膜１２を通過して移動することとなる。したがって陽極室１３に導入された食塩に含まれるＮａイオンは隔膜１２を経て陰極室１４へと即座に移動する。この電気吸引力以外にも例えば拡散理論にしたがえば、Ｎａイオンが拡散によってイオン濃度を均一にするように作用する。この結果、陽／陰極１５、１６間に流れる電流が増加し、短時間に還元力の強いアルカリ水が得られる。この還元力の強いアルカリ水は油脂の鹸化や乳化作用および蛋白質に対する加水分解作用を有し、家具や住宅建材、電気製品などの表面の洗浄水として利用できる。
【００４８】
また陽極室１３のみに食塩溶液が供給されることで陰極室１４には塩素イオンＣｌ-濃度の低いアルカリ水が生成される。Ｃｌ-は洗浄力を阻害する因子となるため、陽極室１３のみに食塩溶液が供給することで洗浄力の高いアルカリ水を生成できる。
【００４９】
陽極室１３に生成される塩素ガスＣｌ2↑、酸素ガスＯ2↑および陰極室１４に生成される水素ガスＨ2↑は通孔２２、フィルタ部材２１を通過して外部に排出される。
【００５０】
陰極室１４に生成されたアルカリ水は、所定時間ｔｅ電解された後、直ちに吐水手段３４が駆動されて流路切換弁３２、吐出路３３を通過して吐出口３６から電解水容器３７に注入される。これにより電解隔膜を介しての酸性水とアルカリ水の浸透混入が防止でき、pH値の劣化が防止できるとともに、容器が存在しない場合での誤吐出を防止できる。なお、電解水容器３７には噴霧機構（図示せず）を設けて被洗浄面に直接スプレー噴霧して使用することもできる。
【００５１】
次に殺菌水生成時の動作について説明する。操作パネル３９の殺菌水スイッチ４５を投入すると前述した洗浄水生成時と同様に図３のタイムチャートに示した一連の動作が行われ、電解水が生成される。所定時間ｔｅ電解後流路切換弁３２は図４に示したように陽極出口１７側と陰極出口１８側を連通するように動作し、吐出手段３４が動作することによって陽極水と陰極水が混合して吐出路３５を経て吐出口３６から電解水容器３７に注入される。この際、絞り部材３３によって陽極水流量が制限され、吐出する電解水のpHが４〜７の範囲となるように調整される。ここで食塩電解水は殺菌作用を有し、この殺菌作用は主に次亜塩素酸ＨＣｌＯによって得られる。この次亜塩素酸ＨＣｌＯの存在比は図５に示したようにpH依存性を有し、強酸性側となるほど塩素ガスＣｌ2↑の存在比が大きくなり、次亜塩素酸の存在比が小さくなる。例えばpH２以下となると塩素ガスの存在比は約３０％を越えるようになる。pH４以上となると塩素ガスの存在比は２％以下となり、塩素ガス臭は殆ど気にならないレベルとなる。一方、中性であるpH７を越えると次亜塩素酸イオンＣｌＯ-の存在比が急激に増加して殺菌力が低下する。したがってpH４〜７の範囲とすることで塩素ガスの悪影響を未然に防止しつつ次亜塩素酸ＨＣｌＯの含有率の高い殺菌水が得られる。なお、実験によれば８００ccの水を陽極室１３と陰極室１４に４００ccづつ満たし、１Ａで５分間電解することで陰極室側にはpH１２．１の強アルカリ水が生成され、陽極室にはpH２．６の強酸性水得られた。電解後吐出手段３４を駆動させて強アルカリ水の約３０％を強酸性水に混合することでpH４．５の電解水が得られた。なお、この殺菌水は洗浄水（陰極水）と同様に電解水容器３７にスプレー手段（図示せず）を設け、殺菌部位に直接噴霧することができる。
【００５２】
また、パルスカウンタ４２はパルスポンプから構成される給液手段２７の駆動信号であるパルス数をカウントする。このパルス数によって食塩の消費量が決まり、所定パルス数すなわち食塩タンク２３内の食塩残量が少なくなった時点で操作パネル３９の食塩補給報知手段４７が点灯もしくは点滅し、食塩の補給が使用者に報知される。
【００５３】
また、本実施例では食塩供給口３０が食塩タンク２３の液面よりも上方に設けられているので不要時における水頭差による電解質溶液の陽極室１３内への流出が防止できる。つまり食塩供給口３０が食塩タンク２３の液面よりも下方に設けられた場合、水頭差によって食塩溶液が常時陽極室１３内に流出することとなり、電解時の食塩濃度を所定値に維持できず、所望のpH値が得られなくなるとともに食塩の不要な消費につながるという不具合が生じるが、上記構成によりそれらの不具合を防止できる。
【００５４】
また給塩路２９に逆止弁３１を設けたので陽極室１３への給水時に食塩タンク２３側への原水の逆流が防止され、電解質溶液の原水逆流による希釈が防止される。この結果、常に所望の濃度の電解質溶液が精度良く食塩供給口３０から電解槽へ供給されることとなり、安定したpH値が得られる。
【００５５】
また陽極室１３側の水を食塩タンク２３に供給する構成としので、陰極１６や陰極室１４内に生成されるスケール片による給液手段２７の目詰まりを防止できる。すなわち電解を行うことで原水に含まれるカルシウムやマグネシウムイオンが水酸基と反応して水酸化カルシウムや水酸化マグネシウムなどのスケールとなって陰極１６や陰極室１４壁面に付着し、電解槽１１に原水を入れる際の剥離作用によって微少なスケール片となって原水に混入される場合がある。したがって陰極室１４側の水を食塩タンク２３に供給する構成とした場合、微少流量を制御する給液手段２７にスケール片が堆積して目詰まりが発生し、電解質溶液が供給されなくなる場合があるが、陽極室１３側の水を食塩タンク２３に供給することで上記不具合が防止され、給液手段２７の長寿命化が図れる。
【００５６】
【発明の効果】
以上説明したように本発明の請求項１にかかるバッチ式電解水生成装置は、電解槽から給液手段によって給水することにより食塩タンクの希釈電解質が自動的に陽極室に導入されるので、手作業によって食塩水などを作製する必要がなく、電解質濃度も安定するので所望のpH値の電解生成水が精度良く得られる。
【００５７】
また、陽極室のみに食塩溶液が供給されるので、陽／陰極間に流れる電流が増加し、短時間に還元力の強いアルカリ水が得られる。この還元力の強いアルカリ水は油脂の鹸化や乳化作用および蛋白質に対する加水分解作用を有し、家具や住宅建材表面などの洗浄水として利用できるとともに塩素イオンの含有量の少ないアルカリ水が生成できるので洗浄力が向上する。
【００５８】
さらに、流路切換弁を設けて陽極水と陰極水の選択吐出もしくは混合中和吐出可能としたので、還元力の強い強アルカリ水と殺菌力にすぐれた弱酸性殺菌水（食塩電解水）が任意に得られる。この殺菌水生成時に陽極水と陰極水が混合して所定のpH値に中和されるので塩素ガスの含有量を低減でき、殺菌水としての利用に際しての課題が解消される。
【００５９】
また、請求項２にかかるバッチ式電解水生成装置は、殺菌水の取水に際して陽極水出口の下流に設けた絞り部材によって陽極水と陰極水が所定の比率で混合し、所定のpH値となるように中和される。この結果、吐出口から得られる電解水を所望のpH値にすることができ、pH値が中性側に移行するので塩素ガスＣｌ2↑の含有量を低減して人体への影響および異臭を防止でき、殺菌水としての利用に際して取り扱いが容易となる。
【００６０】
また、請求項３にかかるバッチ式電解水生成装置は、混合吐出される電解水のpH値が４から７の範囲となるように陰極水流量を制限するので塩素ガスの悪影響を未然に防止しつつ次亜塩素酸ＨＣｌＯの含有率の高い、殺菌力にすぐれた殺菌水が得られる。
【００６１】
また請求項４にかかるバッチ式電解水生成装置は、給塩路に逆止弁を設けたので陽極室への給水時に食塩タンク側への原水の逆流が防止され、電解質溶液の原水逆流による希釈が防止される。この結果、常に所望の濃度の電解質溶液が精度良く食塩供給口から電解槽へ供給されることとなり、安定したpH値が得られる。
【００６２】
また請求項５にかかるバッチ式電解水生成装置は、陽極室側の水を食塩タンクに供給する構成としので、陰極や陰極室内に生成されるスケール片による給液手段の目詰まりを防止でき、給液手段の長寿命化が図れる。
【００６３】
また請求項６にかかるバッチ式電解水生成装置は、電解水の吐出口に対向する位置に電解水容器を設け、所定時間電解終了直後に吐出手段を駆動して陰極水を電解水容器に貯水する構成としたので、電解後直ちにアルカリ水を取水することができ、隔膜を介しての酸性水およびアルカリ水の浸透混入が防止される。この結果pH値の劣化が防止される。
【００６４】
また請求項７にかかるバッチ式電解水生成装置は、電解水容器の存在を検知する容器検知手段を設け、この容器検知手段が容器の存在を検知した時のみ電解動作を行うようにしたので、電解終了後自動的に電解水容器にアルカリ水を吐出することができる。これにより、電解隔膜を介しての酸性水とアルカリ水の浸透混入が防止でき、pH値の劣化が防止できるとともに、容器が存在しない場合での誤吐出を防止できる。
【００６５】
また請求項７にかかるバッチ式電解水生成装置は、電解動作開始直後に所定時間逆極性通電するので、電解毎に陰極に析出するスケール被膜が酸化還元されて洗浄される。特に１回電解当たりに生成されるスケールは微量であり、電解毎に逆電洗浄することで大幅な電極の長寿命化が実現できる。
【００６６】
また請求項８にかかるバッチ式電解水生成装置は、給液手段をパルスポンプから構成するとともにパルスカウンタを設け、このパルスカウンタが所定回数に達した時点で電解質補給要求信号を報知する構成としたので、電解質の消費量が擬似的に検出されて電解質の補給を報知することが可能となるとともに電解質レス電解を防止できる。また電気信号を検出するパルスカウンタは安価に構成できるので電解質消費量検出を低コストで実現できる。
【００６７】
また請求項９にかかるバッチ式電解水生成装置は、給水口に設けたフィルタ部材をイオン交換樹脂から構成したので、電解槽への給水時に原水のイオン交換が行われ、例えば軟水化が図られて硬度差によるpH値のばらつきが解消されるとともに、陰極へのスケール析出を低減できる。
【図面の簡単な説明】
【図１】本発明の実施例１におけるはバッチ式電解水生成装置の構成図
【図２】同装置の操作パネルの構成図
【図３】同装置の給液手段、電解電流、吐出手段の動作を示すタイムチャート
【図４】同装置の要部構成図
【図５】  pHと残存遊離塩素存在比の関係を示す特性図
【図６】従来のバッチ式電解水生成装置の構成図
【符号の説明】
１１  電解槽
１２  隔膜
１３  陽極室
１４  陰極室
１５  陽極
１６  陰極
１７  陽極水出口
１８  陰極水出口
１９  給水口
２１  フィルタ部材（イオン交換樹脂）
２３  食塩タンク
２７  給液手段
２８  導入路
２９  給塩路
３１  逆止弁
３２  流路切換弁
３３  絞り部材
３４  吐出手段
３５  吐出路
３６  吐出口
３７  電解水容器
３８  制御手段
４２  パルスカウンタ
【図１】
0004543515.tif 000002
【図２】
0004543515.tif 000003
【図３】
0004543515.tif 000004
【図４】
0004543515.tif 000005
【図５】
0004543515.tif 000006
【図６】
0004543515.tif 000007